【手続補正書】
【提出日】平成29年6月5日(2017.6.5)
【手続補正１】
【補正対象書類名】明細書
【補正対象項目名】００１１
【補正方法】変更
【補正の内容】
【００１１】
【図１Ａ】先行技術の手術用吸引システムの概略図である。
【図１Ｂ】本発明のサイクル式アパーチャ流量調整器システムを組み込んだ外科吸引の概略図である。
【図１Ｃ】先行技術の手術用ハンドピースの外観の斜視図である。
【図１Ｄ】連続吸引経路が露出した図１Ｃからのハンドピースの側面図である。
【図１Ｅ】水晶体乳化手術コンソール内に組み込まれた、本発明のサイクル式アパーチャ流量調整器システムの概略図である。
【図１Ｆ】図１Ｃからのハンドピース部分の拡大図である。
【図２Ａ】本発明の流量調整器システムの１つの好ましい回転軸実施形態の概略図である。
【図２Ｂ】操作中に生じ得る例示的アパーチャ断面を描写した、図２Ａからの流量調整器システムの概略図である。
【図２Ｃ】操作中に生じ得る例示的アパーチャ断面を描写した、図２Ａからの流量調整器システムの概略図である。
【図２Ｄ】操作中に生じ得る例示的アパーチャ断面を描写した、図２Ａからの流量調整器システムの概略図である。
【図３Ａ】図２からの流量調整器システムのモデルの断面図である。
【図３Ｂ】図２からの流量調整器システムのモデルの断面図である。
【図３Ｃ】図２からの流量調整器システムのモデルの断面図である。
【図３Ｄ】図２からの流量調整器システムのモデルの断面図である。
【図３Ｅ】図２Ｂ〜２Ｄに示される例のそれぞれと一致する、流量調整器システムの１回の回転サイクルに沿った調節可能な流体アパーチャの断面積を示すグラフである。
【図４Ａ】サイクル式アパーチャ流量調整器システムの図２に示される回転軸実施形態の手術用ハンドピースにおける１つの実現形態の異なる斜視図、詳細図および断面図である。
【図４Ｂ】サイクル式アパーチャ流量調整器システムの図２に示される回転軸実施形態の手術用ハンドピースにおける１つの実現形態の異なる斜視図、詳細図および断面図である。
【図４Ｃ】サイクル式アパーチャ流量調整器システムの図２に示される回転軸実施形態の手術用ハンドピースにおける１つの実現形態の異なる斜視図、詳細図および断面図である。
【図４Ｄ】サイクル式アパーチャ流量調整器システムの図２に示される回転軸実施形態の手術用ハンドピースにおける１つの実現形態の異なる斜視図、詳細図および断面図である。
【図４Ｅ】サイクル式アパーチャ流量調整器システムの図２に示される回転軸実施形態の手術用ハンドピースにおける１つの実現形態の異なる斜視図、詳細図および断面図である。
【図４Ｆ】サイクル式アパーチャ流量調整器システムの図２に示される回転軸実施形態の手術用ハンドピースにおける１つの実現形態の異なる斜視図、詳細図および断面図である。
【図４Ｇ】サイクル式アパーチャ流量調整器システムの図２に示される回転軸実施形態の手術用ハンドピースにおける１つの実現形態の異なる斜視図、詳細図および断面図である。
【図４Ｈ】サイクル式アパーチャ流量調整器システムの図２に示される回転軸実施形態の手術用ハンドピースにおける１つの実現形態の異なる斜視図、詳細図および断面図である。
【図４Ｉ】サイクル式アパーチャ流量調整器システムの図２に示される回転軸実施形態の手術用ハンドピースにおける１つの実現形態の異なる斜視図、詳細図および断面図である。
【図４Ｊ】サイクル式アパーチャ流量調整器システムの図２に示される回転軸実施形態の手術用ハンドピースにおける１つの実現形態の異なる斜視図、詳細図および断面図である。
【図４Ｋ】サイクル式アパーチャ流量調整器システムの図２に示される回転軸実施形態の手術用ハンドピースにおける１つの実現形態の異なる斜視図、詳細図および断面図である。
【図５Ａ】弁部分が手術用プローブの内側に配置された流量調整器システムの追加の回転実施形態を組み込んだ手術用ハンドピースにおける、部品の内部構成を示す図である。
【図５Ｂ】弁部分が手術用プローブの内側に配置された流量調整器システムの追加の回転実施形態を組み込んだ手術用ハンドピースにおける、部品の内部構成を示す図である。
【図５Ｃ】弁部分が手術用プローブの内側に配置された流量調整器システムの追加の回転実施形態を組み込んだ手術用ハンドピースにおける、部品の内部構成を示す図である。
【図５Ｄ】図５Ａからの弁部分の詳細な断面図である。
【図５Ｅ】図５Ａからの弁部分の詳細な断面図である。
【図５Ｆ】図５Ａからの弁部分の詳細な断面図である。
【図５Ｇ】図５Ａからの弁部分の詳細な断面図である。
【図６Ａ】本発明の流量調整器システムの弁部分の構成要素を部分的に提供する、手術用プローブの斜視図および断面図である。
【図６Ｂ】本発明の流量調整器システムの弁部分の構成要素を部分的に提供する、手術用プローブの斜視図および断面図である。
【図６Ｃ】本発明の流量調整器システムの弁部分の構成要素を部分的に提供する、手術用プローブの斜視図および断面図である。
【図７Ａ】本発明の流量調整器システムの弁部分の構成要素を全て提供する、手術用プローブの斜視図および断面図である。
【図７Ｂ】本発明の流量調整器システムの弁部分の構成要素を全て提供する、手術用プローブの斜視図および断面図である。
【図７Ｃ】本発明の流量調整器システムの弁部分の構成要素を全て提供する、手術用プローブの斜視図および断面図である。
【図７Ｄ】本発明の流量調整器システムの弁部分の構成要素を全て提供する、手術用プローブの斜視図および断面図である。
【図７Ｅ】本発明の流量調整器システムの弁部分の構成要素を全て提供する、手術用プローブの斜視図および断面図である。
【図８Ａ】本発明の流量調整器システムの完全な弁部分を組み込んだ別の手術用プローブの斜視図および断面図である。
【図８Ｂ】本発明の流量調整器システムの完全な弁部分を組み込んだ別の手術用プローブの斜視図および断面図である。
【図８Ｃ】本発明の流量調整器システムの完全な弁部分を組み込んだ別の手術用プローブの斜視図および断面図である。
【図８Ｄ】本発明の流量調整器システムの完全な弁部分を組み込んだ別の手術用プローブの斜視図および断面図である。
【図８Ｅ】本発明の流量調整器システムの完全な弁部分を組み込んだ別の手術用プローブの斜視図および断面図である。
【図８Ｆ】本発明の流量調整器システムの完全な弁部分を組み込んだ別の手術用プローブの斜視図および断面図である。
【図８Ｇ】本発明の流量調整器システムの完全な弁部分を組み込んだ別の手術用プローブの斜視図および断面図である。
【図８Ｈ】本発明の流量調整器システムの完全な弁部分を組み込んだ別の手術用プローブの斜視図および断面図である。
【図８Ｉ】本発明の流量調整器システムの完全な弁部分を組み込んだ別の手術用プローブの斜視図および断面図である。
【図８Ｊ】本発明の流量調整器システムの完全な弁部分を組み込んだ別の手術用プローブの斜視図および断面図である。
【図８Ｋ】本発明の流量調整器システムの「管内」弁部分を組み込んだ手術用ハンドピースの拡大図である。
【図８Ｌ】組織破砕アクチュエータよりも手術用プローブに対しより遠い場所において本発明の弁部分を組み込んだハンドピースの、内部構成要素の側面図である。
【図８Ｍ】本発明の流量調整器システムの「プローブ内」弁部分を組み込んだ手術用ハンドピースの拡大図である。
【図９Ａ】調節可能な流体経路が断面積の固定ＲＭＳ値で動作する本発明の実施形態を組み込んだハンドピースの側面図である。
【図９Ｂ】調節可能な流体経路が断面積の固定ＲＭＳ値で動作する本発明の実施形態を組み込んだハンドピースの側面図である。
【図９Ｃ】操作者が断面積のＲＭＳ値を手動で調節することができるようにする機構をさらに組み込んだ、図９Ａおよび９Ｂに示されるものと同様のハンドピースの側面図である。
【図１０Ａ】本発明のサイクル式アパーチャ流量調整器システムの振動実施形態の概略図である。
【図１０Ｂ】本発明のサイクル式アパーチャ流量調整器システムの振動実施形態の概略図である。
【図１０Ｃ】本発明のサイクル式アパーチャ流量調整器システムの振動実施形態の概略図である。
【図１０Ｄ】本発明のサイクル式アパーチャ流量調整器システムの振動実施形態の概略図である。
【図１０Ｅ】本発明のサイクル式アパーチャ流量調整器システムの振動実施形態の概略図である。
【図１１Ａ】各フレーム上の最終的な流体アパーチャの断面積を示す２つの流体通路を有する弁本体に対する、１回の完全振動サイクルに沿った窓を有する可動部材の変位を示す一連の図である。
【図１１Ｂ】各フレーム上の最終的な流体アパーチャの断面積を示す２つの流体通路を有する弁本体に対する、１回の完全振動サイクルに沿った窓を有する可動部材の変位を示す一連の図である。
【図１１Ｃ】各フレーム上の最終的な流体アパーチャの断面積を示す２つの流体通路を有する弁本体に対する、１回の完全振動サイクルに沿った窓を有する可動部材の変位を示す一連の図である。
【図１１Ｄ】各フレーム上の最終的な流体アパーチャの断面積を示す２つの流体通路を有する弁本体に対する、１回の完全振動サイクルに沿った窓を有する可動部材の変位を示す一連の図である。
【図１１Ｅ】各フレーム上の最終的な流体アパーチャの断面積を示す２つの流体通路を有する弁本体に対する、１回の完全振動サイクルに沿った窓を有する可動部材の変位を示す一連の図である。
【図１１Ｆ】各フレーム上の最終的な流体アパーチャの断面積を示す２つの流体通路を有する弁本体に対する、１回の完全振動サイクルに沿った窓を有する可動部材の変位を示す一連の図である。
【図１１Ｇ】各フレーム上の最終的な流体アパーチャの断面積を示す２つの流体通路を有する弁本体に対する、１回の完全振動サイクルに沿った窓を有する可動部材の変位を示す一連の図である。
【図１１Ｈ】各フレーム上の最終的な流体アパーチャの断面積を示す２つの流体通路を有する弁本体に対する、１回の完全振動サイクルに沿った窓を有する可動部材の変位を示す一連の図である。
【図１１Ｉ】各フレーム上の最終的な流体アパーチャの断面積を示す２つの流体通路を有する弁本体に対する、１回の完全振動サイクルに沿った窓を有する可動部材の変位を示す一連の図である。
【図１１Ｊ】各フレーム上の最終的な流体アパーチャの断面積を示す２つの流体通路を有する弁本体に対する、１回の完全振動サイクルに沿った窓を有する可動部材の変位を示す一連の図である。
【図１２】３つの異なる直線振動振幅に対して示された図１０Ａから１０Ｊからの例からの、１回の完全振動サイクルに沿ったアパーチャ断面積変化を示すグラフである。
【図１３Ａ】サイクル式アパーチャ流量調整器システムの図１０に示される振動実施形態の手術用ハンドピースにおける１つの実現形態の異なる斜視図、詳細図および断面図である。
【図１３Ｂ】サイクル式アパーチャ流量調整器システムの図１０に示される振動実施形態の手術用ハンドピースにおける１つの実現形態の異なる斜視図、詳細図および断面図である。
【図１３Ｃ】サイクル式アパーチャ流量調整器システムの図１０に示される振動実施形態の手術用ハンドピースにおける１つの実現形態の異なる斜視図、詳細図および断面図である。
【図１３Ｄ】サイクル式アパーチャ流量調整器システムの図１０に示される振動実施形態の手術用ハンドピースにおける１つの実現形態の異なる斜視図、詳細図および断面図である。
【図１３Ｅ】サイクル式アパーチャ流量調整器システムの図１０に示される振動実施形態の手術用ハンドピースにおける１つの実現形態の異なる斜視図、詳細図および断面図である。
【図１３Ｆ】サイクル式アパーチャ流量調整器システムの図１０に示される振動実施形態の手術用ハンドピースにおける１つの実現形態の異なる斜視図、詳細図および断面図である。
【図１３Ｇ】サイクル式アパーチャ流量調整器システムの図１０に示される振動実施形態の手術用ハンドピースにおける１つの実現形態の異なる斜視図、詳細図および断面図である。
【図１３Ｈ】サイクル式アパーチャ流量調整器システムの図１０に示される振動実施形態の手術用ハンドピースにおける１つの実現形態の異なる斜視図、詳細図および断面図である。
【図１４Ａ】かん流／吸引手術用ハンドピースにおける、本発明の流量調整器システムの１つの実現形態の異なる斜視図、詳細図および断面図である。
【図１４Ｂ】かん流／吸引手術用ハンドピースにおける、本発明の流量調整器システムの１つの実現形態の異なる斜視図、詳細図および断面図である。
【図１４Ｃ】かん流／吸引手術用ハンドピースにおける、本発明の流量調整器システムの１つの実現形態の異なる斜視図、詳細図および断面図である。
【図１４Ｄ】かん流／吸引手術用ハンドピースにおける、本発明の流量調整器システムの１つの実現形態の異なる斜視図、詳細図および断面図である。
【図１５】異なる周波数で動作する本発明のサイクル式アパーチャ流量調整器システムによる、手術用プローブの吸引開口部における流量および圧力測定を示し、流量および圧力リップルが７５０ＣＰＭ超で消失し、１５００サイクル毎分を超える動作周波数で実質的に一定の流量に変形することを示すグラフである。
【図１６】アパーチャの開閉の単一サイクル間のスナップショットを描写するシーケンス図である。
【図１７】引用により補充された図である。
【図１８】引用により補充された図である。
【図１９】引用により補充された図である。
【図２０】引用により補充された図である。
【図２１】引用により補充された図である。
【図２２】引用により補充された図である。
【手続補正２】
【補正対象書類名】特許請求の範囲
【補正対象項目名】全文
【補正方法】変更
【補正の内容】
【特許請求の範囲】
【請求項１】
手術用プローブの吸引開口部を通した流体および組織断片の外科的吸引の間、体腔の閉塞後の不安定性を防止するためのサイクル式アパーチャ流量調整器システムであって、
ａ）調節可能な断面積を有する流体アパーチャを有する流量調整弁部分であって、前記流体アパーチャは、前記手術用プローブの前記吸引開口部を真空源と接続する流体経路内に挿入される、流量調整弁部分と、
ｂ）前記流体アパーチャの前記断面積を変更するように動作可能な前記流量調整弁部分と接続されたアクチュエータ部分と、
ｃ）前記流体アパーチャの前記断面積の変化のサイクルをもたらすように、前記アクチュエータ部分にサイクルコマンド信号を提供するコントローラであって、前記サイクルのそれぞれは、前記流体アパーチャの前記断面積が実質的に低減または閉鎖される少なくとも１つのセグメントを含み、前記サイクルは、前記手術用プローブの前記吸引開口部において実質的に一定である流量を生成するのに十分高い周波数で生じる、コントローラと
を備え、前記流体および組織断片は、前記手術用プローブの前記吸引開口部の閉塞の解消により引き起こされる前記流体経路への流体サージにより引き起こされる、前記体腔の不安定性が発生することなく、前記流体経路に沿って前記手術用プローブを使用して前記体腔から吸引される、サイクル式アパーチャ流量調整器システム。
【請求項２】
眼の内部である、請求項１に記載の前記体腔。
【請求項３】
操作者により調節可能である、前記サイクル中の請求項１に記載の前記流体アパーチャの前記断面積のＲＭＳ値。
【請求項４】
弁室内で摺動可能に周期的に変位可能な弁部材を含む、請求項１に記載の前記流量調整弁部分。
【請求項５】
少なくとも１つの流体通路の入口が、前記サイクルのそれぞれのセグメントが流量を制限している間実質的に消失するように、前記弁室内の前記少なくとも１つの流体通路の前記入口上で回転および軸方向に変位するように操作可能なロータ内にある、請求項４に記載の前記弁部材。
【請求項６】
少なくとも１つの流体通路の入口が、前記サイクルのそれぞれのセグメントが流量を制限している間実質的に消失するように、前記弁室内の前記少なくとも１つの流体通路の前記入口上で回転するように操作可能なロータ内にある、請求項４に記載の前記弁部材。
【請求項７】
少なくとも１つの流体通路の入口が、前記サイクルのそれぞれのセグメントが流量を制限している間実質的に消失するように、前記弁室内の前記少なくとも１つの流体通路の前記入口上で振動運動と共に軸方向に変位するように操作可能なピストン内にある、請求項４に記載の前記弁部材。
【請求項８】
手術用ハンドピースの吸引処理に組み込まれる、請求項４に記載の前記流量調整弁部分。
【請求項９】
手術用プローブにより提供され、手術用ハンドピースにより提供される移動部材により操作される構造を有する、部分的に組み立てられる請求項４に記載の前記流量調整弁部分。
【請求項１０】
手術用プローブ内に組み込まれ、手術用ハンドピースにより提供される移動部材により操作される、請求項４に記載の前記流量調整弁部分。
【請求項１１】
シャフトを用いて前記弁部分に機械的に接続された、回転式アクチュエータ、直線アクチュエータ、回転−直線複合アクチュエータ、回転モータ、ボイスコイルアクチュエータ、圧電アクチュエータおよび空気圧式アクチュエータからなる群から選択される少なくとも１つのアクチュエータを含む、請求項１に記載の前記アクチュエータ部分。
【請求項１２】
前記コントローラにアクチュエータ部分シャフトの位置フィードバック信号を提供するように配置される、回転式位置センサおよび直線位置センサからなる群から選択される位置センサをさらに含む、請求項１に記載の前記アクチュエータ部分。
【請求項１３】
前記吸引流体経路を通した組織断片クリアランスを向上させるための組織断片化手段をさらに含む、請求項１に記載の前記弁部分。
【請求項１４】
外科的吸引中の体腔の不安定性を防止するための方法であって、
ａ．手術用プローブを真空源と接続する吸引流体経路内に調節可能な流体アパーチャを配置することと、
ｃ．前記調節可能な流体アパーチャの断面積を変化させるように操作可能なアクチュエータ手段を提供することと、
ｄ．サイクルにおいて、前記サイクルのそれぞれの中に前記断面積が実質的に低減または閉鎖される少なくとも１つのセグメントを含む前記調節可能な流体アパーチャの前記断面積を変化させるように、前記アクチュエータ手段に命令するためのコントローラ手段を提供することを含み、前記サイクルは、実質的に一定である前記手術用プローブを通る流量を生成するのに十分高い周波数で生じ、
それによって流体および組織断片が、閉塞の解消により引き起こされる前記手術用プローブへの流体サージにより引き起こされる不安定性なしに、前記手術用プローブを通して前記体腔から吸引され得る、方法。